(57)【要約】【課題】  搭載された線量計において高い測定精度を得ることが可能な線量計搭載携帯端末を提供する。【解決手段】  本発明にかかる線量計搭載携帯端末（携帯端末１００）の代表的な構成は、基地局１９２との無線通信を行う無線通信部１１８と、当該携帯端末の動作を制御する端末制御部１０２と、放射性物質の量に基づいて放射線量を計測する線量計１３０と、を備え、線量計は、線量計の動作を制御する線量計制御部１３２と、放射線を検知する放射線検知部１３４と、放射線検知部が検知した放射線に基づいて放射線量を演算する線量演算部１３６と、を有し、線量計制御部は、無線通信部が無線通信を行っていないときに放射線検知部に放射線を検知させ、または線量演算部において無線通信部が無線通信を行っていた間のデータを破棄させることを特徴とする。【選択図】図２
2013148381.tif 000002
【特許請求の範囲】
【請求項１】
基地局との無線通信を行う無線通信部と、
当該携帯端末の動作を制御する端末制御部と、
放射性物質の量に基づいて放射線量を計測する線量計と、
を備え、
前記線量計は、
該線量計の動作を制御する線量計制御部と、
放射線を検知する放射線検知部と、
前記放射線検知部が検知した放射線に基づいて放射線量を演算する線量演算部と、
を有し、
前記線量計制御部は、前記無線通信部が無線通信を行っていないときに前記放射線検知部に放射線を検知させ、または前記線量演算部において前記無線通信部が無線通信を行っていた間のデータを破棄させることを特徴とする線量計搭載携帯端末。
【請求項２】
前記端末制御部は、前記線量計制御部に対し、前記無線通信の開始タイミングおよび終了タイミング、および待機状態におけるページング情報通信タイミングを通知することを特徴とする請求項１に記載の線量計搭載携帯端末。
【請求項３】
前記線量演算部が演算した放射線量のデータを記憶する線量記憶部と、
ＧＰＳ衛星からの信号を受信して当該携帯端末の位置情報を取得するＧＰＳ受信部と、
を更に備え、
前記線量計制御部は、前記線量記憶部に、前記位置情報と関連づけて前記放射線量のデータを記憶することを特徴とする請求項１または２に記載の線量計搭載携帯端末。
【請求項４】
前記端末制御部は、前記線量記憶部に記憶された放射線量のデータを所定のサーバに定期的にまたは所定条件に基づいて自動的に転送することを特徴とする請求項１から３のいずれか１項に記載の線量計搭載携帯端末。
【請求項５】
ユーザに対する情報を表示する表示部、音声を出力する音声出力部、振動を出力する振動出力部、および光を照射する発光部の少なくとも１以上を更に備え、
前記線量演算部は、前記演算した放射線量を基に、その平均値および積算値の少なくとも一方を更に演算し、
前記線量計記憶部は、人体に対する放射線量の許容閾値を記憶し、
前記端末制御部は、前記線量演算部が演算した放射線量、その平均値または積算値が前記許容閾値を超えたら、前記表示部への表示、前記音声出力部による音声出力、前記振動出力部による振動出力、および前記発光部の発光のいずれか１以上の手段で、放射線量が閾値を超えたことをユーザに報知することを特徴とする請求項１から４のいずれか１項に記載の線量計搭載携帯端末。
【発明の詳細な説明】
【技術分野】
【０００１】
本発明は、放射性物質の量に基づいて放射線量を計測する線量計を搭載した線量計搭載携帯端末に関する。
【背景技術】
【０００２】
近年、大気中の放射線量への関心が高まっている。放射線量の計測装置としては公共のモニタリングポストが各地に設置されている。しかし、人間の活動域が地上から１〜２ｍ程度の範囲であるのに対し、モニタリングポストの測定点は地上から７ｍほどの高さに設定されているため実状に即しているとは言い難い。また放射線量は局所的な濃度の変動が著しいことはよく知られているところ、モニタリングポストは固定的に設置されたものであるため、ユーザの生活圏内や、ユーザが放射線量を把握したいと思う場所に必ずしも設置されているとは限らない。このため、放射線量を計測可能な線量計の一般への普及が加速している。
【０００３】
上記線量計には持ち運び可能な小型のものもあり、その一例として、ガイガーミュラー管を使用したものや、ＧｅやＳｉ等の半導体を検出デバイス（半導体検知器）として用いた放射線線量計がある（例えば特許文献１）。中でもＳｉ半導体を用いた放射線線量計は、低レベル放射線での精度が高く、また小型化が容易である。しかし、いくら小型化されたものであっても、それを日々携帯するには煩わしさが伴う。そこで、ユーザが日々携帯している携帯電話等の携帯端末に線量計を搭載することが検討されている。
【先行技術文献】
【特許文献】
【０００４】
【特許文献１】特開２００７−２０５７６６号公報
【発明の概要】
【発明が解決しようとする課題】
【０００５】
しかしながら、特許文献１に記載されているように、線量計は、携帯電話などからの電磁波ノイズの影響によって誤作動を引き起こすという問題を有する。詳細には、線量計の近傍３０ｃｍ以内に携帯電話等の携帯端末が存在すると、その無線通信時の電磁波（送受信時の電界強度の変動）により線量計が実際よりも異常に高い値を示し、誤差が生じてしまう。このため、携帯端末に線量計を搭載したとしても、搭載された線量計において測定精度を担保することが極めて困難であり、このことが携帯端末への線量計の搭載において極めて大きな課題となっていた。
【０００６】
本発明は、このような課題に鑑み、搭載された線量計において高い測定精度を得ることが可能な線量計搭載携帯端末を提供することを目的とする。
【課題を解決するための手段】
【０００７】
上記課題を解決するために、本発明にかかる線量計搭載携帯端末の代表的な構成は、基地局との無線通信を行う無線通信部と、当該携帯端末の動作を制御する端末制御部と、放射性物質の量に基づいて放射線量を計測する線量計と、を備え、線量計は、線量計の動作を制御する線量計制御部と、放射線を検知する放射線検知部と、放射線検知部が検知した放射線に基づいて放射線量を演算する線量演算部と、を有し、線量計制御部は、無線通信部が無線通信を行っていないときに放射線検知部に放射線を検知させ、または線量演算部において無線通信部が無線通信を行っていた間のデータを破棄させることを特徴とする。
【０００８】
上記構成によれば、無線通信部が無線通信を行っていないときに放射線検知部に放射線を検知させることにより、計測時における無線通信時の電磁波の影響を除外することができ、高い精度の放射線量測定を行うことが可能となる。また線量演算部において無線通信部が無線通信を行っていた間のデータを破棄させることにより、無線通信時の電磁波の影響による誤差が生じている可能性のあるデータを排除することができ、測定精度が高いデータのみを抽出することができる。したがって、本発明によれば、携帯端末に搭載された線量計において、無線通信時の電磁波による悪影響を除外した高精度の測定が可能である。これにより、ユーザは煩わしさを感じることなく線量計を携帯することができるため、必要なときにいつでも放射線量を把握し、日常生活における放射線被爆を防ぐことが可能となる。
【０００９】
上記の端末制御部は、線量計制御部に対し、無線通信の開始タイミングおよび終了タイミング、および待機状態におけるページング情報通信タイミングを通知するとよい。これにより、線量演算部による線量計の制御をより好適に行うことができ、上述した利点を更に確実に得ることが可能となる。
【００１０】
当該線量計搭載携帯端末は、線量演算部が演算した放射線量のデータを記憶する線量記憶部と、ＧＰＳ衛星からの信号を受信して自端末の位置情報を取得するＧＰＳ受信部と、を更に備え、線量計制御部は、線量記憶部に、位置情報と関連づけて放射線量のデータを記憶するとよい。これにより、放射線量のデータに位置情報を反映させることができる。
【００１１】
上記の端末制御部は、線量記憶部に記憶された放射線量のデータを所定のサーバに定期的にまたは所定条件に基づいて自動的に転送するとよい。かかる構成によれば、当該線量計搭載携帯端末をモニタリング装置として利用することができ、モニタリングポストが設置されていない地域の放射線量のモニタリングが可能となる。また線量計搭載携帯端末によってサーバに集約された放射線量のデータを開示すれば、当該線量計搭載携帯端末を所持していないユーザに対してもかかるデータを提供することが可能となる。
【００１２】
当該線量計搭載携帯端末は、ユーザに対する情報を表示する表示部、音声を出力する音声出力部、振動を出力する振動出力部、および光を照射する発光部の少なくとも１以上を更に備え、線量演算部は、演算した放射線量を基に、その平均値および積算値の少なくとも一方を更に演算し、線量計記憶部は、人体に対する放射線量の許容閾値を記憶し、端末制御部は、線量演算部が演算した放射線量、その平均値または積算値が許容閾値を超えたら、表示部への表示、音声出力部による音声出力、振動出力部による振動出力、および発光部の発光のいずれか１以上の手段で、放射線量が閾値を超えたことをユーザに報知するとよい。かかる構成によれば、滞在場所における放射線量が閾値を超えている場合、すなわち緊急時に、ユーザに退避を促すことができ、放射線被爆量を低減することが可能となる。
【発明の効果】
【００１３】
本発明によれば、搭載された線量計において高い測定精度を得ることが可能な線量計搭載携帯端末を提供することができる。
【図面の簡単な説明】
【００１４】
【図１】本実施形態にかかる線量計搭載携帯端末の概略構成を示すブロック図である。
【図２】携帯端末の動作の第１実施形態を示すフローチャートである。
【図３】携帯端末の動作の第２実施形態を示すフローチャートである。
【発明を実施するための形態】
【００１５】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１６】
図１は、本実施形態にかかる線量計搭載携帯端末（以下、携帯端末１００と称する）の概略構成を示すブロック図である。図１に示す携帯端末１００は、端末制御部１０２によって動作が制御される。詳細には、制御部１０２は、中央処理装置（ＣＰＵ）を含む半導体集積回路により携帯端末１００全体の機能を管理および制御し、例えば記憶部１１６に記憶されているプログラムを用いて通話機能やメール送受信機能等を実行する。
【００１７】
表示部１０４は、液晶ディスプレイ（Liquid Crystal Display）、ＥＬ（Electro Luminescence）、ＰＤＰ（Plasma Display Panel）等で構成され、写真画像やアプリケーションの動作画面、通話における通話先や発信元などの情報をユーザに対して表示する。操作部１０６は、携帯端末１００へのユーザ入力を受け付ける。操作部１０６としては、例えばポインティングデバイス（図示せず）を表示部１０４に重畳したタッチパネル方式を採用することができ、またかかる構成とは別にもしくはそれに加えて、キーボード、十字キー、ジョイスティック等の可動操作キー（ハードウェアキー）を採用してもよい。
【００１８】
音声入力部１０８は、マイク等の音声認識手段で構成され、通話時に入力されたユーザの音声を携帯端末１００内で処理可能な電気信号に変換する。音声出力部１１０は、スピーカ等で構成され、携帯端末１００（無線通信部１１８）で受信した通話相手の音声信号を音声に変えて出力する。また音声出力部１１０は、着信音、操作音、アラーム音等も出力することもできる。
【００１９】
振動出力部１１２は、携帯端末１００にバイブレーション振動を与える、いわゆるバイブレータである。発光部１１４は、ＬＥＤ（Light Emitting Diode）、ＥＬ発光体、サブＬＣＤ、その他の照光可能な電子部品から構成され、光を照射する（発光する）。記憶部１１６は、ＲＯＭ、ＲＡＭ、ＥＥＰＲＯＭ、不揮発性ＲＡＭ、フラッシュメモリ、ＨＤＤ等で構成され、端末制御部１０２で処理されるプログラムや通信データ等を記憶する。
【００２０】
無線通信部１１８は、ＣＤＭＡ（Code Division Multiple Access）やＷｉＭＡＸ（Worldwide Interoperability for Microwave Access）、ＴＤＭＡ／ＴＤＤ（ＰＨＳやＧＳＭ(登録商標)）等の無線通信方式を通じて基地局１９２との無線通信を確立し、通信相手との音声通信やＷｅｂサーバとのデータ通信を行う。ＧＰＳ受信部１２０は、ＧＰＳ衛星１９４からの信号を受信して当該携帯端末１００の位置情報（経緯度や海抜）を取得する。
【００２１】
また本実施形態の特徴として、携帯端末１００には、放射性物質の量に基づいて放射線量を計測する線量計１３０が搭載されている。線量計１３０は、線量計制御部１３２によって動作が制御され、放射線検知部１３４によって放射線を検知し、放射線検知部１３４が検知した放射線に基づいて線量演算部１３６において放射線量が演算される。そして、線量演算部１３６が演算した放射線量のデータは線量記憶部１３８に記憶される。また本実施形態では、線量計記憶部１１６は、人体に対する放射線量の許容閾値を記憶する。
【００２２】
なお、放射線検知部１３４の詳細な説明については、当業者には周知であるため省略する。ただし、無線通信部１１８を構成する送受信回路（不図示）と、線量計１３０の放射線検知部１３４とは、別基板に実装するか、またはＧＮＤで分離された両面基板の別面に配置することが好ましい。このような構造により、無線通信部１１８から線量計１３０へのノイズの回りこみを抑制することができる。また送受信回路と線量計１３０の間は板金などで遮蔽することが好ましく、線量計１３０においてもγ線およびβ線を検出する検出素子（不図示）以外は金属板で遮蔽することが望ましい。
【００２３】
ここで、携帯端末１００に単に線量計１３０を搭載しただけであると、無線通信部１１８による無線通信時の電磁波により線量計１３０の測定値に誤差が生じてしまい、その測定精度を担保することができない。そこで本実施形態では、搭載された線量計１３０において高い測定精度が得られるよう、携帯端末１００および線量計１３０の動作を制御する。以下、図２を用いて、本実施形態の特徴である放射線量計測時の携帯端末１００の動作について説明する。
【００２４】
（第１実施形態）
図２は、携帯端末１００の動作の第１実施形態を示すフローチャートである。第１実施形態では、線量計制御部１３２は、無線通信部１１８が無線通信を行っていないときに放射線検知部１３４に放射線を検知させる。
【００２５】
線量計制御部１３２が「無線通信を行っていないとき」を検知するために、端末制御部１０２から線量計制御部１３２に通知が行われる。通知のタイミングは、本実施形態では、通話やデータ通信などの無線通信の開始および終了、および待機時のページング情報の受信タイミングである。ページング情報の受信は所要時間が一定であり、かつ極めて短時間であるため、ページング情報の通信終了の通知はないものとする。なおページング情報とはページングチャネル（ＰＣＨ）を用いて受信する情報であって、待機時に不連続受信（間欠受信）して着呼の通知を受け取るための情報である。
【００２６】
図２に示すように、まず線量計制御部１３２は放射線検知部１３４を制御して放射線の検知を開始させる（ステップＳ２０２）。そして、無線通信部１１８が無線通信を開始すると、端末制御部１０２により線量計制御部１３２に対して無線通信が開始されたことが通知される（ステップＳ２０４のＹＥＳ）。なお、端末制御部１０２からの通知がない場合（ステップＳ２０４のＮＯ）、放射線検知部１３４は放射線の検知を継続する。
【００２７】
ステップＳ２０４における端末制御部１０２からの通知が、待機状態におけるページング情報通信タイミングであったら（Ｓ２０６のＹＥＳ）、線量計制御部１３２は、放射線検知部１３４による放射線の検知を中断する（ステップＳ２０８）。そして、ページング情報通信に要する所定時間が経過するまで検知を中断し（ステップＳ２１０のＮＯ）、かかる所定時間が経過したら（ステップＳ２１０のＹＥＳ）、線量計制御部１３２は放射線検知部１３４による放射線の検知を再開する（ステップＳ２１２）。なお、ページング情報については、例えば特表２００６−５０９３８２号公報に詳術されており、当業者には周知であるため説明を省略する。
【００２８】
ステップＳ２０４における端末制御部１０２からの通知が、ページング情報通信タイミングではなく（Ｓ２０６のＮＯ）、無線通信（通話やデータ通信）の開始タイミングであったら（ステップＳ２１４のＹＥＳ）、線量計制御部１３２は、放射線検知部１３４による放射線の検知を中断する（ステップＳ２１６）。そして、ステップＳ２０４における端末制御部１０２からの通知が、無線通信の開始タイミングではない、すなわち無線通信の終了タイミングであったら、（ステップＳ２１４のＮＯ）、線量計制御部１３２は放射線検知部１３４による放射線の検知を再開する（ステップＳ２１２）。
【００２９】
一方、端末制御部１０２からの通知がない場合は放射線の検知を継続し（ステップＳ２０４のＮＯ）、また放射線の検知が再開されたら（ステップ２１２）、放射線の測定時間が所定時間（あらかじめ設定された単位時間、例えば１分）を経過するまで（ステップＳ２１８のＮＯ）、ステップＳ２０４〜ステップＳ２１６までを繰り返す。ここで所定時間（単位時間）は、検知を中断してから再開するまでの時間は含まず、データを取得した時間の積算とする。その後、放射線の測定時間が所定時間経過したら（ステップＳ２１８のＹＥＳ）、線量計制御部１３２は、線量演算部１３６に、放射線検知部１３４が検知した放射線に基づいて放射線量を演算させる（ステップＳ２２０）。ここでいう演算とは、例えばＣＰＭ（count per minute）をシーベルトやグレイに換算する演算である。
【００３０】
次に、線量計制御部１３２は、線量演算部１３６に、ステップＳ２２０において演算された放射線量を基に、平均値を演算させ（ステップＳ２２２）、積算値を演算させる（ステップＳ２２４）。平均値は、表示出力する放射線量の変動を平滑化するために、直前の１〜３つの単位時間における値と平均するものである。続いて、線量計制御部１３２は、線量演算部１３６に、ステップＳ２２０〜ステップＳ２２２において演算された放射線量、その平均値および積算値を基に滞在可能時間を演算させる（ステップＳ２２６）。
【００３１】
演算が終了したら、線量計制御部１３２は、ステップＳ２２０〜ステップＳ２２４で演算された放射線量、平均値および積算値が、線量計記憶部１１６に記憶された許容閾値を越えているか否かを各々判断する（ステップＳ２２８、ステップＳ２３０、ステップＳ２３２）。放射線量、平均値および積算値が許容閾値を超えていたら（ステップＳ２２８、ステップＳ２３０、ステップＳ２３２のＹＥＳ）、端末制御部１０２は、そのことをユーザに報知する（ステップＳ２３４）。
【００３２】
ステップＳ２３４における報知手段としては、表示部１０４への表示、音声出力部１１０による音声出力、振動出力部１１２による振動出力、および発光部１１４の発光のいずれか１以上の手段を用いることができる。すなわち、端末制御部１０２は、表示部１０４、音声出力部１１０、振動出力部１１２および発光部１１４を報知部として用いることができる。これにより、滞在場所における放射線量等が許容閾値を超えた時（緊急時）に、ユーザに退避を促すことができ、放射線被爆量を低減することが可能となる。また上述したように本実施形態では放射線量、平均値および積算値に加えて滞在可能時間を演算しているため、ステップＳ２３４における報知時に、かかる滞在可能時間を併せて報知してもよい。
【００３３】
一方、ステップＳ２２０〜ステップＳ２２４で演算された放射線量、平均値および積算値が許容閾値を超えていなかったら（ステップＳ２２８、ステップＳ２３０、ステップＳ２３２のＮＯ）、線量計制御部１３２は、ステップＳ２２０〜ステップＳ２２４で演算された放射線量、平均値および積算値のデータに、ＧＰＳ受信部１２０がＧＰＳ衛星１９４からの信号を受信して取得した当該携帯端末１００の位置情報を関連づけて追加する（ステップＳ２３６）。そして、線量計制御部１３２は、位置情報を関連づけたデータ（放射線量、平均値および積算値）を線量記憶部１３８に保存（記憶）する（ステップＳ２３８）。なお、ステップＳ２３６では、位置情報だけでなく、ＧＰＳ受信部１２０がＧＰＳ衛星１９４から受信した信号によって取得した時刻情報も加えて追加してもよい。
【００３４】
続いて、線量記憶部１３８に記憶された放射線量等のデータを所定のサーバ（不図示）に転送（アップロード）する（ステップＳ２４０）。転送するタイミングは、定期的であってもよく、所定条件に基づいて定められていてもよい。所定条件とは、例えば所定距離以上を移動したとき、予め登録した地点に到達したとき、放射線量が所定量以上変動したときなどである。またデータの転送は自動的に行われてもよいし、操作部１０６を介したユーザ入力に基づいて行われてもよい。
【００３５】
上記構成のように線量計１３０において計測された放射線量のデータや、それを基に演算されたデータをサーバに転送することにより、携帯端末１００をあたかもモニタリング装置のように用いることができ、モニタリングポストが設置されていない地域においても広範囲かつ緻密な放射線量のモニタリングが可能となる。また、サーバに転送されたデータを開示すれば、携帯端末１００を所持していないユーザに対してもかかるデータを提供することができ、データの有効活用を図ることが可能となる。
【００３６】
ステップＳ２４０におけるデータの転送が完了したら、操作部１０６を介したユーザからの終了指示がない限り（ステップ２４２のＮＯ）、端末制御部１０２および線量計制御部１３２は、ステップＳ２０４〜ステップＳ２４０を繰り返す。一方、操作部１０６を介して、線量計１３０による放射線検知を終了する旨のユーザ入力がなされたら、線量計制御部１３２は放射線検知部１３４を制御して放射線の検知を終了させる（ステップＳ２４４）。
【００３７】
上記説明したように、携帯端末１００の第１実施形態の動作では、ステップＳ２０６〜ステップＳ２１６のように、無線通信部１１８が無線通信を行っている間は放射線検知部１３４による放射線検知を中断し、無線通信が行われていない間のみに放射線の検知を行っている。このような構成により、無線通信時の電磁波による悪影響を線量計１３０によって計測されたデータから排除することができ、携帯端末１００に搭載された線量計１３０において、高い精度の放射線量測定を行うことが可能となる。故に、ユーザは煩わしさを感じることなく線量計を日々携帯できるため、必要なときにいつでも放射線量を把握し、日常生活における放射線被爆を抑制可能となる。
【００３８】
なお、本実施形態においては、端末制御部１０２が、無線通信（通話およびデータ通信）の開始タイミングおよび終了タイミング、および待機状態におけるページング情報通信タイミングを線量計制御部１３２に対して通知することにより、無線通信が行われていない間のみに放射線の検知を行っていた。しかし、かかる構成は一例であり、ページング情報に限らず、待機中に通信を行う制御チャネルでは全て放射線の検知を中断することが望ましい。例えばＬＴＥであれば、制御チャネルとしてページングチャネル（ＰＣＨ）における通信のほか、ページング制御チャネル（ＰＣＣＨ）、放送チャネル（ＢＣＨ）、放送制御チャネル（ＢＣＣＨ）、共通制御チャネル（ＣＣＣＨ）、マルチキャスト制御チャネル（ＭＣＣＨ）、専用制御チャネル（ＤＣＣＨ）などが挙げられる。またＰＨＳやＣＤＭＡ、Ｗ−ＣＤＭＡ、ＯＦＤＭＡなどの通信方式においても、それぞれ様々な制御チャネルが定義されているが、そのような制御チャネルにおいて通信を行っている場合には、放射線の検知を中断する。なおいずれの通信方式においても着呼を通知するためのページングチャネルは存在するため、上記第１実施形態においてはページング情報の通信タイミングを例に用いて説明した。
【００３９】
（第２実施形態）
図３は、携帯端末１００の動作の第２実施形態を示すフローチャートである。第１実施形態では、線量計制御部１３２は、無線通信部１１８が無線通信を行っていないときに放射線検知部１３４に放射線を検知させていたのに対し、第２実施形態では、線量計制御部１３２は、線量演算部１３６において無線通信部１１８が無線通信を行っていた間のデータを破棄させる。以下、第１実施形態と重複する構成については同一の符号を付して説明を省略し、第２実施形態特有の動作について詳述する。
【００４０】
図３に示すように、放射線検知部１３４が放射線の検知を開始した後に（ステップＳ２０２）、無線通信部１１８が無線通信を開始すると、端末制御部１０２により線量計制御部１３２に対して無線通信が開始されたことが通知される（ステップＳ２０４のＹＥＳ）。ステップＳ２０４における端末制御部１０２からの通知が、待機状態におけるページング情報通信タイミングであったら（Ｓ２０６のＹＥＳ）、線量計制御部１３２は、そのページング情報通信タイミングの通知を線量記憶部１３８に記憶する（ステップＳ３０８）。
【００４１】
一方、ステップＳ２０４における端末制御部１０２からの通知が、ページング情報通信タイミングではなく（Ｓ２０６のＮＯ）、無線通信の開始タイミングであったら（ステップＳ２１４のＹＥＳ）、線量計制御部１３２は、その開始タイミングの通知を線量記憶部１３８に記憶する（ステップＳ３１６）。そして、ステップＳ２０４における端末制御部１０２からの通知が、無線通信の開始タイミングではない、すなわち無線通信の終了タイミングであったら、（ステップＳ２１４のＮＯ）、線量計制御部１３２は、その終了タイミングを線量記憶部１３８に更に記憶する（ステップＳ３１８）。
【００４２】
一方、端末制御部１０２からの通知がない場合は放射線の検知を継続し（ステップＳ２０４のＮＯ）、また線量計制御部１３２に対して通知された無線通信のタイミングが保存されたら（ステップＳ３０８、ステップＳ３１８）、放射線の測定時間が所定時間（例えば１分）経過するまで（ステップＳ２１８のＮＯ）、ステップＳ２０４〜ステップＳ３１８までを繰り返す。
【００４３】
その後、放射線の測定時間が所定時間経過したら（ステップＳ２１８のＹＥＳ）、線量計制御部１３２は、ページング情報通信タイミングが通知されてから所定時間分の放射線データ、および無線通信の開始タイミングが通知されてから終了タイミングが通知されるまでの間の放射線データ、すなわち無線通信部１１８が無線通信を行っていた間のデータを破棄するよう、線量演算部１３６を制御する（ステップＳ３２０）。そして、線量演算部１３６は、無線通信部１１８が無線通信を行っていた間のデータが破棄されたデータ（放射線）に基づいて放射線量を演算する（ステップＳ２２０）。
【００４４】
上記説明したように、携帯端末１００の第２実施形態の動作では、ステップＳ２０６〜ステップＳ３２０のように、線量演算部１３６において無線通信部１１８が無線通信を行っていた間のデータを破棄させ、破棄されたデータ以外の放射線データに基づいて放射線量を演算している。このような構成により、無線通信時の電磁波の影響による誤差が生じている可能性のあるデータを排除することができ、測定精度が高いデータのみを抽出される。したがって、第１実施形態と同様に、携帯端末１００に搭載された線量計において、高い精度の放射線量測定を行うことができ、上述した利点を得ることが可能となる。
【００４５】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４６】
本発明は、放射性物質の量に基づいて放射線量を計測する線量計を搭載した線量計搭載携帯端末として利用可能である。
【符号の説明】
【００４７】
１００…携帯端末、１０２…端末制御部、１０４…表示部、１０６…操作部、１０８…音声入力部、１１０…音声出力部、１１２…振動出力部、１１４…発光部、１１６…記憶部、１１８…無線通信部、１２０…ＧＰＳ受信部、１３０…線量計、１３２…線量計制御部、１３４…放射線検知部、１３６…線量演算部、１３８…線量記憶部、１９２…基地局、１９４…ＧＰＳ衛星
【図１】
2013148381.tif 000003
【図２】
2013148381.tif 000004
【図３】
2013148381.tif 000005